Podtech/llm-jp-corpus-v4-ja_patent huggingface dataset:
(57)【要約】      （修正有）【課題】手足の肌の乾燥を防ぐために、ハンドクリームを塗って手袋や靴下を着用する手間を短縮できる靴下並びに手袋を提供する。【解決手段】手袋１や靴下の内側にジェル２を貼り付けて、そのジェル２に予めハンドクリーム等の美容用成分を配合することにより、手足にハンドクリームを塗るという作業が短縮できる。また、ジェルで肌を覆うことにより、まんべんなく肌に成分を付着させることができる。【選択図】図１
0003184501.tif 000002
【実用新案登録請求の範囲】
【請求項１】
綿やゴム、またはビニールなどの素材を一部もしくは全体に利用し、内側にジェル素材を使用した、指が分かれているもの、いないものを含む靴下並びに手袋。
【請求項２】
前記記載のジェル素材に、オイル類、グリセリン、スクワラン、コラーゲン、ヒアルロン酸、尿素、ビタミン類、ミネラル類のいずれか１の成分が付着もしくは配合されていることを特徴とする請求項１に記載の靴下並びに手袋。
【請求項３】
前記記載のジェル素材に、医療用、一般用の外用医薬品の成分が付着もしくは配合され
ていることを特徴とする請求項１に記載の靴下並びに手袋。
【考案の詳細な説明】
【技術分野】
【０００１】
本発明は、概して言えば、内側にジェルを貼り付けた靴下や手袋、及びその製造方法に関するものである。より詳細には、本発明は、美容用成分及び医療用成分などを長い時間、かつ簡単な方法で肌へ付着、もしくは浸透させるために用いられる手袋や靴下に関するものである。
【背景技術】
【０００２】
今まで、手足の肌をトリートメントする用具には、ハンドクリームなどを肌に塗ってから、手足に被せるものがあった。特に、使いやすく、心地よく、比較的単純に製造できるトリートメント装置もあった。（特許文献１を参照）
【先行技術文献】
【特許文献】
【０００３】
【特許文献１】特開２００２−３３９１２５号公報
【考案の概要】
【考案が解決しようとする課題】
【０００４】
手足の肌を乾燥から守る、もしくは保湿するためには、ハンドクリームなどを肌に塗って、その上から軍手などの手袋をはめてそのまま時間をおくという方法が今までに知られていた。本発明で解決しようとする問題点は、美容用成分（ハンドクリーム等）を手足に伸ばしてから手袋や靴下をはめるということに、手間がかかる点である。
【課題を解決するための手段】
【０００５】
本発明は、手袋や靴下の内側にジェル（TPE樹脂・シリカ等）を貼り付けて、
そのジェルに美容用成分等を配合することを最も主要な特徴とする。
【考案の効果】
【０００６】
手袋や靴下の内側にジェルを貼り付けて、そのジェルに予め美容用成分（ハンドクリーム等）を配合することにより、手足にハンドクリーム等を塗るという作業が短縮できる。それに加え、ジェルで肌を覆うことによりまんべんなく肌全体に成分を付着させる事ができ、なおかつ成分の蒸発を遅らせ、長い時間成分の効果をとどまらせることができるというメリットもある。ハンドクリームを塗布するだけの状態と比べれば、手袋をするため物に触ってもベタつかないことから、軽作業も可能となる。
【図面の簡単な説明】
【０００７】
【図１】内側にジェルを貼り付けた手袋を正面から見た場合の断面図である。
【図２】内側にジェルを貼り付けた靴下を側面から見た場合の断面図である。
【考案を実施するための形態】
【０００８】
一つの方法として、TPE樹脂を高熱で融解させ、手袋や靴下の内側に溶着させる方法がある。溶着させた後、美容用成分などを配合する。
溶着以外の方法として、手袋や靴下の内側にジェルを接着剤で密着させる方法や、糸で縫い付ける方法も考えられる。
【実施例１】
【０００９】
図１は、本発明の実施例であって、TPE樹脂を手袋内側に溶着で貼り付けたものの断面図である。1が手袋であり、2がジェルである。ジェルの厚さは成分配合や動きやすさを考慮して0.1mmから最大で1.5cmほどが望ましい。
【産業上の利用可能性】
【００１０】
美容用としてはもちろんのこと、医療用としても利用できる可能性がある。
ジェルに予め皮膚用の薬を配合することにより、患者の手足に着用するだけで、薬を手足の全体に付着させることができる。
【図１】
0003184501.tif 000003
【図２】
0003184501.tif 000004
【手続補正書】
【提出日】平成25年3月11日(2013.3.11)
【手続補正１】
【補正対象書類名】実用新案登録請求の範囲
【補正対象項目名】全文
【補正方法】変更
【補正の内容】
【実用新案登録請求の範囲】
【請求項１】
綿やゴム、またはビニールなどの素材を一部もしくは全体に利用し、内側にジェル素材を使用した、指が分かれているもの、いないものを含む靴下または手袋。
【請求項２】
前記記載のジェル素材に、オイル類、グリセリン、スクワラン、コラーゲン、ヒアルロン酸、尿素、ビタミン類、ミネラル類のいずれか１の成分が付着もしくは配合されていることを特徴とする請求項１に記載の靴下または手袋。
【請求項３】
前記記載のジェル素材に、医療用、一般用の外用医薬品の成分が付着もしくは配合されていることを特徴とする請求項１に記載の靴下または手袋。
(57)【要約】      （修正有）【課題】締付工具を本体に直接当てて使わずにねじ込みチーズ、又はねじ込みエルボを、傷を付けずに容易に締め付け、及び緩める作業を行う治具を提供する。【解決手段】ねじ込みチーズＴ、又はねじ込みエルボの外形寸法に合わせて、それを収納する箱Ｅ１をつくる。収納する箱Ｅ１には、ラチェットハンドルＦ、スパナ、モンキー、又は六角レンチの嵌合部をアダプターに装着させている。収納する箱Ｅ１に、ラチェットハンドルＦ、スパナ、モンキー、又は六角レンチを嵌合して箱の中に、ねじ込みチーズＴ、又はねじ込みエルボを入れる事で、本体に傷を付けず、容易に締付け、及び緩める事が出来る。【選択図】図３
0003184506.tif 000002
【実用新案登録請求の範囲】
【請求項１】
１／８から２インチの配管用ねじ込みチーズ、又は配管用ねじ込みエルボを締め付ける、及び緩める冶具であって、ねじ込みチーズ、又はねじ込みエルボを収納し固定する箱にラッチェットハンドル、スパナ、モンキー、又は六角レンチの嵌合部をアダプターに設けた治具。
【請求項２】
箱の開口部に突起物を設けた請求項１に記載の治具。
【請求項３】
箱の開口部に設けた突起物が出し入れ自在である請求項２に記載の治具。
【考案の詳細な説明】
【技術分野】
【０００１】本考案は、ＪＩＳ規格で作られている１／８から２インチの配管作業に使用される、ねじ込みチーズ、又はねじ込みエルボを締付け、及び緩める治具に関する。
【背景技術】
【０００２】配管作業において、ねじ込みチーズ、又はねじ込みエルボを締付け、及び緩める作業での工具は、パイプレンチ、モンキーを使っている。
ねじ込みチーズ、又はねじ込みエルボ本体に直接当て使用する。【０００３】ねじ込みチーズ、又はねじ込みエルボとは、配管作業に使う、Ｔ字型、又はＬ型のねじ込み式の継手であり、図１はねじ込みチーズＴの形状であり、又図２はねじ込みエルボＬの形状の物である。
Ｄ部分には、雌ねじが切っており、パイプの雄ねじに、被せてねじ込み、パイプを連結していく部材である。
【考案が解決しようとする課題】
【０００４】従来の締付工具はパイプレンチ、モンキーしかなく、ねじ込みチーズ、又はねじ込みエルボ本体に直接挟んで使用する為、本体に傷がつく。
【０００５】そこでこの考案の目的は、従来の締付工具を本体に直接当てて使わずにねじ込みチーズ、又はねじ込みエルボを、傷を付けずに容易に締め付け、及び緩める作業を行う事にある。
【課題を解決する為の手段】
【０００６】上記目的を達成する為、この考案の治具は、締付工具であるパイプレンチ、モンキーを直接挟んで使わず、ねじ込みチーズ、又はねじ込みエルボに合わせた、本体を収納する箱を有し、箱そのものにラッチェットハンドル、スパナ、モンキー、六角レンチの嵌合部を設けたアダプターが有り、工具を差込む事により、ねじ込みチーズ、又はねじ込みエルボ本体を傷つけず締め付け、及び緩める事を特徴としている。
又上記治具には、箱部分に、バネで出し入れ自在の突起物を有する。
又は突起物は鋳造時に成型しても良い。
突起物で収納したねじ込みチーズ、又はねじ込みエルボを固定することが出来ることを特徴としている。
【図面の簡単な説明】
【０００７】
【図１】ねじ込みチーズの図
【図２】ねじ込みエルボの図
【図３】ねじ込みチーズを箱に収納した図
【図４】ねじ込みエルボを箱に収納した図
【図５】ねじ込みチーズの箱の使用状態の図
【図６】ねじ込みエルボの箱の使用状態の図
【実施例】
【０００８】図３は、図１の示す外形寸法Ａ１・Ｂ１・Ｃ１に合わせて、ねじ込みチーズＴを収納する箱Ｅ１を作っている、又図４は、図２の外形寸法Ａ２・Ｂ２・Ｃ２に合わせて、ねじ込みエルボＬを収納する箱Ｅ２を作っている。
収納する箱Ｅ１、又は箱Ｅ２にラッチェットハンドルＦの差込角ｆが入るアダブターＧがある。
又ラッチェットハンドルのかわりに、六角レンチを用いてもよい。
更にスパナ、モンキーを使用する場合は、アダプターＧの外形を四角や六角の多角形にする。
アダプターＧは、溶接、又は鋳造時に成型される。【０００９】収納する箱Ｅ１、又は箱Ｅ２には、ねじ込みチーズＴ又はねじ込みエルボＬの外れ防止の為、突起物Ｈがある。
突起物Ｈは、バネにより出し入れが可能にすることも出来る。
ねじ込みチーズＴ又はねじ込みエルボＬの出し入れの時に引っかかりと成り、固定される仕組みである。【００１０】作業手順として図５又は図６の様に、ラチェットハンドルＦの差込角ｆを、アダプターＧに差し込む。
配管ｄのねじ部分にねじ込みチーズＴ又はねじ込みエルボＬを軽く手でねじ込み、収納する箱Ｅ１又は箱Ｅ２にかぶせる。
ラチェットハンドルＦを回しねじ込みチーズＴ又はねじ込みエルボＬを締め付け、及び緩める事が出来る。
【符号の説明】
【００１１】Ｔ  ねじ込みチーズ
Ｌ  ねじ込みエルボ
Ｅ１  箱
Ｅ２  箱
Ｆ  ラチェットハンドル
Ｇ  アダプター
Ｈ  突起物
【図１】
0003184506.tif 000003
【図２】
0003184506.tif 000004
【図３】
0003184506.tif 000005
【図４】
0003184506.tif 000006
【図５】
0003184506.tif 000007
【図６】
0003184506.tif 000008
【手続補正書】
【提出日】平成25年4月4日(2013.4.4)
【手続補正１】
【補正対象書類名】実用新案登録請求の範囲
【補正対象項目名】全文
【補正方法】変更
【補正の内容】
【実用新案登録請求の範囲】
【請求項１】
１／８から２インチの配管用ねじ込みチーズ、又は配管用ねじ込みエルボを締め付ける、及び緩める治具であって、ねじ込みチーズ、又はねじ込みエルボを収納し固定する箱に、ラチェットハンドル、スパナ、モンキー、又は六角レンチの嵌合部を有するアダプターを設けた治具。
【請求項２】
箱の開口部に突起物を設けた請求項１に記載の治具。
【請求項３】
箱の開口部に設けた突起物が出し入れ自在である請求項２に記載の治具。
(57)【要約】      （修正有）【課題】締付工具を本体に直接当てて使わずに、ねじ込み式ユニオンのユニオンナット、又はユニオンねじを、傷を付けずに容易に締め付け、及び緩める作業を行う治具を提供する。【解決手段】ねじ込み式ユニオンのユニオンナット、又はユニオンねじの外形寸法に合わせて、それを収納する箱Ｅ１をつくる。収納する箱Ｅ１には、ラチェットハンドル、スパナ、モンキー、又は六角レンチの嵌合部をアダプターに装着させている。収納する箱Ｅ１に、ラチェットハンドル、スパナ、モンキー、又は六角レンチを嵌合して箱の中に、ねじ込み式ユニオンのユニオンナット、又はユニオンねじを入れる事で、本体に傷を付けず、容易に締付け、及び緩める事が出来る。【選択図】図２
0003184507.tif 000002
【実用新案登録請求の範囲】
【請求項１】
１／８から２インチの配管用ねじ込み式ユニオンのユニオンナット、又はユニオンねじの締め付け、及び緩める冶具であって、ねじ込み式ユニオンのユニオンナット、又はユニオンねじを収納し固定する箱にラッチェットハンドル、スパナ、モンキー、又は六角レンチの嵌合部をアダプターに設けた治具。
【請求項２】
箱の開口部に突起物を設けた請求項１に記載の治具。
【請求項３】
箱の開口部に設けた突起物が出し入れ自在である請求項２に記載の治具。
【考案の詳細な説明】
【技術分野】
【０００１】本考案は、ＪＩＳ規格で作られている１／８から２インチの配管作業に使用される、ねじ込み式ユニオンのユニオンナット、又はユニオンねじを締付け、及び緩める治具に関する。
【背景技術】
【０００２】配管作業において、ねじ込み式ユニオンのユニオンナット、又はユニオンねじを締付け、及び緩める作業での工具は、パイプレンチ、モンキーを使っている。
ユニオンナット及びユニオンねじで挟んで接続する接続方式の管継手である。【０００３】ねじ込み式ユニオンとは、配管作業に使う、組立管継手で有り、図１の様に配管部品をユニオンナット及びユニオンねじで挟んで接続する接続方式の管継手である。
ユニオンナットのナット部分の形状は、多角形をしており、主に８角形である。
Ｄ部分には、雌ねじが切っており、パイプの雄ねじに、被せてねじ込み、パイプを連結する。
Ｄ部分の外周の形状は、多角形をしており、主に８角形である。
【考案が解決しようとする課題】
【０００４】従来の締付工具はパイプレンチ、モンキーしかなく、ユニオンナット、又はユニオンねじ本体に直接挟んで使用する為、本体に傷がつく。
【０００５】そこでこの考案の目的は、従来の締付工具を本体に直接当てて使わずに、ねじ込み式ユニオンのユニオンナット、又はユニオンねじを、傷を付けずに容易に締め付け、及び緩める作業を行う事にある。
【課題を解決する為の手段】
【０００６】上記目的を達成する為、この考案の治具は、締付工具であるパイプレンチ、モンキーを直接挟んで使わず、ねじ込み式ユニオンのユニオンナット、又はユニオンねじに合わせた、本体を収納する箱を有し、箱そのものにラッチェットハンドル、スパナ、モンキー、六角レンチの嵌合部を設けたアダプターが有り、工具を差込む事により、ユニオンナット、又はユニオンねじ本体を傷つけず締め付け、及び緩める事を特徴としている。
又上記治具には、箱部分に、バネで出し入れ自在の突起物を有する。又は突起物は鋳造時に成型しても良い、突起物で収納したユニオンナット、又はユニオンねじを固定することが出来ることを特徴としている。
【図面の簡単な説明】
【０００７】
【図１】ねじ込み式ユニオンのユニオンナット、ユニオンねじの図
【図２】箱にユニオンナットを収納した図
【図３】箱にユニオンねじを収納した図
【図４】ユニオンナットの箱の使用状態の図
【図５】ユニオンねじの箱の使用状態の図
【実施例】
【０００８】図２は、図１の示す外形寸法Ａ１−Ｂ１−Ｃ１−Ｌ１に合わせて、ねじ込み式ユニオンのユニオンナットＵ１を収納する箱Ｅ１を作っている、又図３は、図１の示す外形寸法Ａ２−Ｂ２−Ｃ２−Ｌ２に合わせてねじ込み式ユニオンのユニオンねじＵ２を収納する箱Ｅ２作っている。
収納する箱Ｅ１、又は箱Ｅ２にラッチェットハンドルＦの差込角ｆが入るアダプターＧがある。
又ラッチェットハンドルのかわりに、六角レンチを用いてもよい。
更にスパナ、モンキーを使用する場合は、アダプターＧの外形を四角や六角の多角形にする。
アダプターＧは、溶接、又は鋳造時に成型される。【０００９】収納する箱Ｅ１、又は箱Ｅ２には、ユニオンナットＵ１、又はユニオンねじＵ２の外れ防止の為、突起物Ｈがある。
突起物Ｈは本体にねじ等により取り付けるか、鋳造時に成型されたものでも良い。
突起物Ｈは、バネにより出し入れが可能にすることも出来る。
ユニオンナットＵ１、又はユニオンねじＵ２の出し入れの時に引っかかりと成り、固定される仕組みである。【００１０】作業手順として図４又は図５の様に、ラチェットハンドルＦの差込角ｆを、アダプターＧに差し込む。
配管ｄのねじ部分にユニオンナットＵ１、又はユニオンねじＵ２を軽く手でねじ込み、収納する箱Ｅ１又は箱Ｅ２にかぶせる。
ラチェットハンドルＦを回しユニオンナットＵ１、又はユニオンねじＵ２を締め付け、及び緩める事が出来る。
【符号の説明】
【００１１】Ｕ１  ユニオンナット
Ｕ２  ユニオンねじ
Ｅ１  箱
Ｅ２  箱
Ｆ  ラチェットハンドル
Ｇ  アダプター
Ｈ  突起物
【図１】
0003184507.tif 000003
【図２】
0003184507.tif 000004
【図３】
0003184507.tif 000005
【図４】
0003184507.tif 000006
【図５】
0003184507.tif 000007
【手続補正書】
【提出日】平成25年4月4日(2013.4.4)
【手続補正１】
【補正対象書類名】実用新案登録請求の範囲
【補正対象項目名】全文
【補正方法】変更
【補正の内容】
【実用新案登録請求の範囲】
【請求項１】
１／８から２インチの配管用ねじ込み式ユニオンのユニオンナット、又はユニオンねじの締め付け、及び緩める治具であって、ねじ込み式ユニオンのユニオンナット、又はユニオンねじを収納し固定する箱に、ラチェットハンドル、スパナ、モンキー、又は六角レンチの嵌合部を有するアダプターを設けた治具。
【請求項２】
箱の開口部に突起物を設けた請求項１に記載の治具。
【請求項３】
箱の開口部に設けた突起物が出し入れ自在である請求項２に記載の治具。
(57)【要約】      （修正有）【課題】筒状体に直接モター原理を採用した簡単な構造の水力発電装置を提供する。【解決手段】円筒体９を備えた水力発電装置において、前記円筒体が回転可能に配置され、前記円筒体の外周面には、軸棒６を中心に、凹凸部分７が螺旋状に配置されたことを特徴とする。これにより、流動変動による水位が直接回転体に及び、また、表面に溝部分を形成した事により、スムーズに回転体が、回転維持出来る。【選択図】図１
0003184509.tif 000002
【実用新案登録請求の範囲】
【請求項１】
回転可能に配置された円筒体の外周面に羽根が、軸棒を中心に、円筒状の螺旋状に配置され、凹凸流動部分を設け回転可能を特徴とする水力発電装置。
【考案の詳細な説明】
【技術分野】
【０００１】本考案は、水力発電装置に関するものである。
【背景技術】
【０００２】考案より、様々な水力発電装置があるが、設置や場所に制限がある。
【考案が解決しょうとする課題】
【０００３】本考案により通常の河川に設置できる水力発電装置である。
【課題を解決するための手段】
【０００４】本考案の水力発電は、固定コイルと回転コイル異なり回転コイルは、軸を中心にして回転可能に配置され水受けの羽根が螺旋状に配置されることを特徴とする水力発電装置特徴とするものであり、すなわち軽量水力発電は、河川の用途により設置要因が生じ機種により異なりがちで、電力能力も著しく回転円筒型（ドラム）に軸心（シャフト）Ｎ，Ｓ極に誘導コルを取り入れ回転体の内側にＮＳ極を施し回転と共に電磁誘導を取り入れ、モター原理を採用した。外側の円筒面の回転体に躯体全体を浮上用、フロート式に兼用し表面に６０度位の凹凸形状の溝旋状に似た状態で、所々くぼみ形成する事により水切りが良くなり、フインや水車と違い、回転能率を増し、しかも横型や垂直位置にも設置でき、河川からの「ごみや廃棄物」をも寄せつかずスムーズに流れに逆らわない構造にした。
擁壁に簡易的な凹凸溝部分にシャフト軸を治め流水の左右移動を遊びが有る程度に確保し、回転体内を空洞上により、上下フロト式が出来る様に溝部分の上下にストッパを取り付け架設状態にする事で、流動する範囲内で水量を自動的に調整することにより問題点を解決した。
【考案の効果】
【０００５】流動変動による水位が直接回転体に及ぶ為、表面に溝部分を形成した事により、直接落下式も応用し「ごみや廃棄物」が絡まず、スムーズに回転体が、回転維持出来る。
【考案を実施するための最良の形態】
【０００６】河川の灌漑用水、自然河川にも応用し条件を問わず設置する事ができる。
【実施例】
【０００７】図１は、本考案の水力発電装置の構成を示す。
１は、擁壁に溝を構成し強度を増すよう固定板を施し、シャフト部分の横軸揺れを制御し上下フロート式に応用した。２は、シャフトと筒状の回転体ドラム兼浮上式フロート左右一対に設置上下の留め３は、ベアリングシャフト軸内にＮ，Ｓ極を構成し外部にコイルを形成するベアリング。４は、筒状の回転体ドラム内の内側部分にＮ，Ｓ極を設置し外側に凹部分の流動旋状フロートは左右一対に設置  ５は、コイルの表面に防水効果を施しＮＳ極を交互に取り付ける。６は、シャフト、モター原理ＮＳ極筒状の内側に設置コイルを施す。７は、流動の凹凸部分は、蛇の尾駆動しながら水の抵抗を回転時に抑えドラムを回転させ、反復しながら電流を取り入れる。
図２は、水力発電装の置断面図で筒状外周面に流動型螺旋状の溝を形成し、凹凸部分より水流が、押し寄せてＡからＢに水が流れ通る再に筒状が、回転可能にし、その際に躯体に、水の小尾に逆の水はけが出来ず。スムーズに回転できる構造を特徴とする水力発電装置である。
図３羽根の拡大図である。
【図面の簡単な説明】
【０００８】
【図１】水力発電装置の全体図である。
【図２】図１の断面図である。
【図３】羽根の拡大図である。
【符号の説明】
【０００９】１擁壁
２シャフトの留め
３ベアリング
４フロート
５Ｎ極Ｓ極コイル
６シャフト
７流動性の凹凸溝部分
８シャフトコイル
９筒状の回転体
【図１】
0003184509.tif 000003
【図２】
0003184509.tif 000004
【図３】
0003184509.tif 000005
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
円筒体を備えた水力発電装置において、前記円筒体が回転可能に配置され、前記円筒体の外周面には、軸棒を中心に、凹凸部分が螺旋状に配置されたことを特徴とする水力発電装置。
(57)【要約】      （修正有）【課題】スノーボード、スキー等の運動時、および通常時に装着に違和感がなく頭部を衝撃から保護する頭部保護具を提供する。【解決手段】高性能衝撃吸収材２をニット製帽子１に内蔵する。これにより頭部保護効果を与える。高性能衝撃吸収材は、シート状及び繊維状等外観やデザインに影響を与えない多種の形状で内蔵される。【選択図】図４
0003184505.tif 000002
【実用新案登録請求の範囲】
【請求項１】
高性能衝撃吸収材をニット製帽子に内蔵したことを特徴とする頭部保護具。
【請求項２】
前記高性能衝撃吸収材は、シート状及び繊維状等多種の形状で内蔵されることを特徴とする頭部保護具。
【考案の詳細な説明】
【技術分野】
【０００１】
本考案は、頭部保護具の中で高性能衝撃吸収材を内蔵したにニット製帽子に関するものである。
【背景技術】
【０００２】
スノーボード、スキー等の運動時に使用される頭部保護具としては、帽子、ヘアバンド、ヘルメット等がある。
【０００３】
しかしながら、帽子、ヘアバンドは手軽で頭部への圧迫感も少ないが、頭部への衝撃吸収性の観点からは頭部保護効果はほとんど望めない。一部に、特許文献１（特開２００１−２１４３２０号公報）に記載されているようなスポンジやその類のものを内蔵した帽子や帽子の内側に被るインナーキャップと呼ばれるものも存在するが、製品数が少ないこともあり普及しているとは言い難い。また、ヘルメットは頭部保護効果は高いが、その組成物による硬度の高さから個人間の頭部形状の違いに適合していく柔軟性はほとんど期待できない。このため人によってはヘルメット内部形状が合わず頭部や耳部等に痛み、違和感を感じる。また、ヘルメットの重量、および外観によるデザイン性の問題も使用の障害となっている。これらの理由にもより、スノーボード、スキー実施者は大部分がニット製の帽子を被っている。
【０００４】
スノーボード実施時においては、スノーボード特有の進行方向に対して体が正面を向かずほぼ真横を向いている運動体勢により後ろ向きに転倒することも多く、この場合衝撃に弱いとされている後頭部を打つ転倒となることが多い。これにより、強度の痛みを感じたり、重症の場合では脳震盪や脳障害を引き起こすこともある。これらは、特に技術的初心者におこる場合が多く、スノーボード普及の妨げの一因ともなっている。
【先行技術文献】
【特許文献】
【０００５】
【特許文献１】特開２００１−２１４３２０号公報
【考案の概要】
【考案が解決しようとする課題】
【０００６】
解決しようとする問題点は、スノーボード、スキー等の運動時に使用されるニット製帽子には特に衝撃に対する保護効果がほとんどないことである。
【課題を解決するための手段】
【０００７】
本考案は、ニット製帽子に高性能衝撃吸収材を内蔵することにより高い衝撃吸収性、および頭部保護効果を有する頭部保護具を提供することにより上記課題を解決しようとするものである。また、高性能衝撃吸収材の内蔵によりニット製帽子の外観にはほとんど影響がないため、着用にあたってのデザイン性の観点からの問題は生じない。
【考案の効果】
【０００８】
高性能衝撃吸収材を内蔵したニット製帽子は、従来のニット製帽子が有していなかった高度の衝撃吸収性、および頭部保護効果を有する。
【図面の簡単な説明】
【０００９】
【図１】一般的なニット製帽子の外観図である。
【図２】本発明の実施形態にかかるニット製帽子の側面図である。
【図３】ニット帽子の内面に高性能衝撃吸収材を配置した場合の図２に示すニット製帽子のＡ−Ａ断面図である。
【図４】ニット製帽子の本体構造を二重構造とし、二重構造の内部に高性能衝撃吸収材を配置した場合の図２に示すニット製帽子のＡ−Ａ断面図である。
【考案を実施するための形態】
【００１０】
ニット製帽子に高性能衝撃吸収材を内蔵することにより高い衝撃吸収性、および頭部保護効果を与える。
【００１１】
高性能衝撃吸収材としては、アルファゲル（登録商標：株式会社タイカ）、ＮＰゲル（登録商標：株式会社タイカ）、ソルボセイン（登録商標：三進興産株式会社）等が挙げられる。
【００１２】
高性能衝撃吸収材の内蔵方法としては、図３、図４に示すような帽子内部へのシート状高性能衝撃吸収材の配置、または繊維状高性能衝撃吸収材の編み込みが挙げられる。
【００１３】
内蔵する高性能衝撃吸収材は、帽子内部と同様の形状に一体成型されたものを配置してもよい。また、適当な大きさ・形状に裁断し帽子本体に設けた仕切り構造の内部に配置してもよい。
【００１４】
内蔵する高性能衝撃吸収材の固定を行う場合は、接着後も柔軟性を有するタイプの接着剤や繊維による縫い付けを行う。
【００１５】
内蔵する高性能衝撃吸収材は表面に粘着性を有する場合があり、これが過剰な摩擦の原因となり頭部皮膚、毛髪等人体に損傷を与える原因となり得る。これを防止するため衝撃吸収材の表面をより摩擦係数の低い素材で覆ったものを使用してもよい。
【００１６】
シート状高性能衝撃吸収材を薄いシートからなる多層構造とし、シート間にポリテトラフルオロエチレンシート等の低摩擦材を配置してもよい。これにより雪面への頭部打撃時の頭部の雪面と水平方向の移動速度の減少を抑制し、結果として頭部の回転運動が抑制される。頭部の回転運動は慣性力により頭部内部に存在する脳との運動差を生じ、脳内血管の損傷の一因となる。
【産業上の利用可能性】
【００１７】
本考案は、高い衝撃吸収性、および頭部保護効果を有するニット製帽子を提供を可能とする。
【符号の説明】
【００１８】
１帽子本体
２高性能衝撃吸収材
【図１】
0003184505.tif 000003
【図２】
0003184505.tif 000004
【図３】
0003184505.tif 000005
【図４】
0003184505.tif 000006
【手続補正書】
【提出日】平成25年4月19日(2013.4.19)
【手続補正１】
【補正対象書類名】実用新案登録請求の範囲
【補正対象項目名】全文
【補正方法】変更
【補正の内容】
【実用新案登録請求の範囲】
【請求項１】
シート状高性能衝撃吸収材をニット製帽子の内面に配置、またはニット製帽子を二重構造としその内部に配置したことを特徴とする頭部保護具。
【請求項２】
繊維状高性能衝撃吸収材を編み込み配置したことを特徴とする頭部保護具。
(57)【要約】      （修正有）【課題】型枠の外部締め付け金具であるホンタイを締め付けることで、セパレーターの埋設型の型枠受具が型枠のコンパネに食い込み、型枠を解体したとき食い込み部分がコンクリート外面から突出することにより、クロス貼りなどの内装工事において支障をきたすため、この突出部を簡単に撤去できるコマ付ポリ製型枠受具を提供する。【解決手段】コンパネ１１に食い込む深さと同じかそれより若干厚く外周面が外部に向かって広がる勾配を成すリング状のコマ２を型枠受具４の外部に向かって狭くなる勾配を成す型枠接触面３に重ねた構造とした上で施工し、型枠解体後にコマを撤去する。【選択図】図２
0003184510.tif 000002
【実用新案登録請求の範囲】
【請求項１】
建築型枠用セパレーターの受具であって外周面が外部に向かって広がる勾配を成すリング状のコマとコンクリート内に埋設される受具本体とが一体となって使用され、型枠解体後に該駒を撤去することでコンクリート外面からの該受具の突出を防止することができることを特徴とする樹脂製の部材。
【請求項２】
前記コマ及び受具本体においてセパレーターに施された回り止めの突起を交わすための溝を有する型枠受具。
【考案の詳細な説明】
【技術分野】
【０００１】  本考案は、建築型枠用セパレーターの特に躯体鉄筋のかぶり部分を捩じり切って除去する埋設型のポリ製型枠受具を装着したセパレーターに関する。
【背景技術】
【０００２】  従前、上述のかぶり部分を捩じり切って除去する型のセパレーターは、型枠内面と該セパレーターを捩じり切るくびれ部との間の鋼線が剥き出しのままであると打設された生コンの収縮等の圧力によって生じる摩擦力のために該鋼線部分を捩じり切ることができなくなるのでこれを防止するためにかぶり部分にポリ製型枠受具を装着している。
【考案の概要】
【考案が解決しようとする課題】
【０００３】  上述のごとくセパレーターの切除しようとする鋼線部分は、ポリ製型枠受具で覆われているが、型枠の外部締め付け金具であるホンタイを締め付けると該受具の型枠受部が型枠のコンパネに食い込んでくる。その結果、型枠を解体したときには該受具のコンパネに食い込んだ部分がコンクリート面から突出してしまうためクロス貼り等の内装工事に支障をきたしている。
【課題を解決するための手段】
【０００４】  本考案者は鋭意研究した結果、上述のコンクリート面から突出した部分を簡単に撤去できる埋設型のポリ製型枠受具を開発することに成功した。【０００５】  以下、本考案を図に従い、詳しく説明する。図１は本考案による埋設型のポリ製型枠受具のイメージ図であり、該受具は型枠受部が符号１のごとく外部に向かって広がる勾配を成す外周面を有するリング状のコマ２と外部に向かって狭くなる勾配を成す型枠受部３を有する筒状の本体４のいづれも樹脂製の部材から構成されている。符号５はセパレーターの鋼線の捩じり切られれる部分が挿入される孔加工部である。
図２は該受具を型枠にセットしたときの断面図であり、ここで符号６はセパレーターの鋼線の捩じり切られて撤去される部分、符号７は外部締め付け金物であるホンタイ８を締め込んだとき該受具が後退しないためのワッシャーである。符号９のクビレ部は符号６の切断部、符号１０はホンタイ８と螺合するセパレーター端部のネジ加工部、符号１１は型枠のコンパネである。
図２においてホンタイ８を締め込めば若干ではあるがコマ２はコンパネ１１に食い込み前述のごとくの支障をきたすが、ここでコマ２はその外周面の勾配の効果で簡単に撤去することができる。
また図３のごとくセパレーターに回り止めの突起１２が施されている場合にはコマ２及び本体４には符号１３の溝加工が成されており、突起１２を交わして該受具をセパレーターに装着できる。
【考案の効果】
【０００６】  本考案によるポリ製型枠受具を使用すれば型枠解体後の該型枠受部のコンクリート外面からの型枠受具の突出が解消され、その後の内装工事に支障をきたすことがない。
【図面の簡単な説明】
【０００７】
【図１】  本考案によるポリ製型枠受具のイメージ図。
【図２】  本考案によるポリ製型枠受具のセット時の断面図。
【図３】  回り止めの突起があるときのセット時の断面図。
【考案を実施するための形態】
【０００８】  転造盤による両端部の螺旋加工等所定の加工を終えたセパレーターの鋼線の端部からまずポリ製型枠受具４を押し込み、続いてコマ２を捩じ込んで装着が完了する。
【産業上の利用可能性】
【０００９】  本考案によるコマ付ポリ製型枠受具を装着したセパレーターを使用すれば型枠解体後の後処理が容易であり、その後の内装工事でも支障をきたすことがないので産業上の利用価値は大きいと考えられる。
【符号の説明】
【００１０】１，  外部に向かって広がる勾配
２，  コマ
３，  受部
４，  受具本体
５，  孔加工部
６，  セパレーターの撤去部分
７，  ワッシャー
８，  ホンタイ
９，  クビレ部
１０，螺旋加工部
１１，型枠のコンパネ
１２，回り止め突起
１３，溝加工
【図１】
0003184510.tif 000003
【図２】
0003184510.tif 000004
【図３】
0003184510.tif 000005
【手続補正書】
【提出日】平成25年4月8日(2013.4.8)
【手続補正１】
【補正対象書類名】実用新案登録請求の範囲
【補正対象項目名】全文
【補正方法】変更
【補正の内容】
【実用新案登録請求の範囲】
【請求項１】
建築型枠用セパレーターの受具であって外周面が外部に向かって広がる勾配を成すリング状のコマとこれに接合し、概ね該コマと同じ外径のフランジを有する筒状の受具本体とで構成されるコマ付樹脂製型枠受具。
【請求項２】
前記コマ及び受具本体においてセパレーターに施された回り止めの突起を交わすための溝を有することを特徴とする請求項１に記載のコマ付樹脂製型枠受具。
(57)【要約】      （修正有）【課題】これまで実現できなかった効果と見え方の表現を可能とする、ペンダントトップへのペンダントチェーンの新しい通し方を特徴とするペンダントを提供する。【解決手段】ペンダントトップの側面部全体、もしくは側面部の一部に、ペンダントチェーンが十分に通せる幅と高さを持つ溝２を作製し、ペンダントチェーンをこの溝２に通した状態時にペンダントトップがペンダントチェーンから外れないようにストッパー３を２か所以上に設けたことにより、既存のペンダントトップとペンダントチェーンの通し方とは異なる表現方法と機能を実現している。【選択図】図１
0003184518.tif 000002
【実用新案登録請求の範囲】
【請求項１】
ペンダントトップの側面に、ペンダントチェーンを通すことが可能な溝を設け、その溝にペンダントチェーンを通す方式。
【考案の詳細な説明】
【技術分野】
【０００１】
本考案は、貴金属製品の内、ペンダント、ネックレスに該当するものである。
【背景技術】
【０００２】
従来の技術では、ペンダントトップの上部にバチカンを設けるまたは、ペンダントトップに環を設けペンダントチェーンを切断し加工したものをペンダントトップに取り付ける、もしくは、ダイヤモンド等の石とこれを留める地金の石座との空間にペンダントチェーンを通すことによって、ペンダントトップにペンダントチェーンを通してきた。
【先行技術文献】
【特許文献】
【０００３】
【特許文献１】（非）特許文献ｎ
【考案の概要】
【考案が解決しようとする課題】
【０００４】
解決しようとする点は、既存のペンダントトップへのペンダントチェーンを通す方法とは異なる通し方を考案し、新しいペンダントやネックレス等の宝飾品に新しい表現と効果を生みだす点である。
【課題を解決するための手段】
【０００５】
新たな表現や効果を生みだすために、ペンダントトップの側面に溝を作製し、その溝部分にペンダントチェーンを通す方法を考案する。図１はペンダントトップに溝を作製した説明図。図１の２は溝部分であり、図２の説明図に示すようにペンダントチェーンを通すことが可能である。ただし溝を作製する位置を調整しなければ図１の１の石座部分と抵触してしまい、ダイヤモンド等の石を留められなくなりうるので抵触しない幅を図１の１と２の間に確保し、ペンダントチェーンからペンダントトップが外れないように図１の３のストッパーを設ける。
【考案の効果】
【０００６】
本考案により、ペンダントトップは中国独楽の様にペンダントチェーン上に乗っかっている状態を維持出来る為、ペンダントチェーン上を滑るように移動することが可能となる。よって身に付けた際に、ペンダントチェーンの留具が首の裏からずれてしまった場合でも、ペンダントトップは自らの荷重により、何時でも同じ位置で安定する効果が得られる。また見た目の表現に関しても、ペンダントトップの側面をペンダントチェーンが通っているので、ペンダントトップとペンダントチェーンの金属色を変えることで２トーンでの色表現を可能となる。
【図面の簡単な説明】
【０００７】
【図１】ダイヤモンド等の石を留める前段階の状態を表した図であり、ダイヤモンド等の石を留める為の石座部（１．）、ペンダントチェーンを通すための溝部（２．）、ペンダントチェーンを通した後、ペンダントチェーンからペンダントトップが外れないようにするストッパー（３．）の機構を持つペンダントトップを示した説明図である。
【図２】図１の説明図にペンダントチェーンを通した状態を示す説明図である。
【産業上の利用可能性】
【０００８】
宝飾品の内、ステーションネックレスへ、本方式を採用したペンダントトップを用いることにより、ダイヤモンド等の石のテーブル面がひっくりかえり難いステーションネックレスを作製できる。
【符号の説明】
【０００９】
1.ダイヤモンド等の石を留める石座部
２．ペンダントチェーンを通す為の溝部
３．ペンダントチェーンからペンダントトップが外れないように固定するストッパー
【図１】
0003184518.tif 000003
【図２】
0003184518.tif 000004
【手続補正書】
【提出日】平成25年4月19日(2013.4.19)
【手続補正１】
【補正対象書類名】実用新案登録請求の範囲
【補正対象項目名】全文
【補正方法】変更
【補正の内容】
【実用新案登録請求の範囲】
【請求項１】
ペンダントトップの側面に、ペンダントチェーンを通すことが可能な溝を設け、その溝にペンダントチェーンを通した事を特徴とするペンダント。
(57)【要約】      （修正有）【課題】自在ほうきの保管時にブラシ部を傷めず、省スペースを実現する自在ほうき用の留め具を提供する。【解決手段】自在ほうきの柄部とブラシ部に線状または球状の凹凸のついた留め具２，１をつける。ほうきの保管時は柄部の凹凸留め具２とブラシ部の凹凸留め具１を合わせて、両者を留めて収納ケースに保管する。【選択図】図５
0003184513.tif 000002
【実用新案登録請求の範囲】
【請求項１】
自在ほうきの保管時にブラシ部を傷めず省スペースを実現するため、柄部とブラシ部を留めることのできる留め具。
【請求項２】
請求項１の留め具に装着できる収納ケース。
【考案の詳細な説明】
【技術分野】
【０００１】  本考案は、自在ほうきの柄部とブラシ部を留める留め具により、自在ほうきの保管時にブラシ部を傷めず、省スペースを実現する自在ほうき用の留め具に関する。
【背景技術】
【０００２】  ブラシ部を傷めないように施されたほうきとしては、実登３０３１９４３号公報のほうき、また、実登３０７３７４８号公報の清掃用具用引掛け具、特開２０１１−２１７８５９号公報の清掃具がそれぞれ公知となっている。【０００３】  このようにほうきの柄に補助具を付けたり、ブラシ部に加工を施し、ブラシ部を傷めない補助具またはほうきはあるが、本考案のような自在ほうきにおいて柄部とブラシ部の凹凸による留め具はない。
【先行技術文献】
【特許文献】
【０００４】
【特許文献１】  実登３０３１９４３号公報
【特許文献２】  実登３０７３７４８号公報
【特許文献３】  特開２０１１−２１７８５９号公報
【考案の概要】
【考案が解決しようとする課題】
【０００５】  これまでの自在ほうきの保管は、ブラシ部を上にして立てるか、ブラシ部を下にして吊るすかである。しかし、保管時、ブラシ部と柄部がＴ字型もしくはイ字型になり、保管場所が広くなり景観を損なうことがある。また、ブラシ部が直接床に触れている場合には、ブラシ部の変形や痛みにもつながる。そこで本考案は、自在ほうきの保管時にブラシ部を傷めず、省スペースを実現する自在ほうき用留め具を課題とする。
【課題を解決するための手段】
【０００６】  上記課題を解決するために、図１のような自在ほうきの柄部とブラシ部に線状または球状の凹凸のついた留め具をつけることにより、その課題を解決する。
【考案の効果】
【０００７】  本考案で自在ほうきの柄部とブラシ部が直線状になり、ブラシ部が直接接地しないためブラシ部を傷めず、自在ほうきの保管時に省スペースとなる効果がある。
【図面の簡単な説明】
【０００８】
【図１】本考案に係る自在ほうき用留め具の概略斜視図である。
【図２】本考案に係る自在ほうき用留め具が自在ほうきに装着されている正面図である。
【図３】本考案に係る自在ほうき用収納ケース付留め具の概略斜視図である。
【図４】本考案に係る自在ほうき用収納ケース付留め具が自在ほうきに装着されている正面図である。
【図５】柄部側から本考案に係る自在ほうき用留め具を見た平面図である。
【図６】本考案に係る自在ほうき用留め具とブラシ部固定具とが一体化した正面図である。
【図７】収納ケース正面図である。
【考案を実施するための形態】
【０００９】  本考案の実施形態について図１に基づいて説明する。本考案に係る自在ほうき用留め具の一例を示す図１において、１はブラシ部の留め具凹凸部であり、２は柄側の留め具凹凸部である。ほうきの保管時にはこの凹凸を合わせて留める。
【実施例】
【００１０】  添付図面に従って実施例を説明する。自在ほうきは、ビル、体育館、幼稚園、学校など多くの場で使われている。そこで、本考案の留め具を付けることにより、図２の形状となりその保管が安定する。【００１１】  また、本考案の留め具を付けた自在ほうきは、家庭でも使用頻度は高い。その際、図７の収納ケースを取り付ける図３の自在ほうき用収納ケース付留め具を使用することで、保管がより衛生的で安易になる。さらに、図６のように本考案の留め具を柄のブラシ部固定具と一体化することにより製造も効率的になる。
【符号の説明】
【００１２】  １  ブラシ部の凹凸部（線状または球状）
２  柄部の凹凸部（線状または球状）
３  収納ケース用の凸部（球体）
【図１】
0003184513.tif 000003
【図２】
0003184513.tif 000004
【図３】
0003184513.tif 000005
【図４】
0003184513.tif 000006
【図５】
0003184513.tif 000007
【図６】
0003184513.tif 000008
【図７】
0003184513.tif 000009
【手続補正書】
【提出日】平成25年4月8日(2013.4.8)
【手続補正１】
【補正対象書類名】実用新案登録請求の範囲
【補正対象項目名】全文
【補正方法】変更
【補正の内容】
【実用新案登録請求の範囲】
【請求項１】
自在ほうきの柄部とブラシ部とを留める留め具であって、前記留め具は、前記柄部に装着されるものであり、前記留め具の側部に凹凸部が設けられ、前記凹凸部は、前記ブラシ部に設けられた凹凸部と係合することで、前記柄部と前記ブラシ部が直線状となることを特徴とする自在ほうき用留め具。
【請求項２】
請求項１記載の自在ほうき用留め具に装着する収納ケースであって、前記収納ケースは、前記ブラシ部を収納するものであり、前記収納ケースの側面に、前記留め具に設けられた凸部に係合する孔部を備えたことを特徴とする収納ケース。
(57)【要約】      （修正有）【課題】レジ袋の荷を持つ運ぶ際、指に負担をかけず、持ち運び易くしたレジ袋用手提げ具を提供する。【解決手段】床部面と、床部面の両側部から立設する２つの壁部１と、をＵ字形のアーチとし、各壁部の内側面間に、レジ袋の手掛けが係合する空間を備えアーチの両端部間に支え部材４を設けたことを特徴とする。【選択図】図１
0003184514.tif 000002
【実用新案登録請求の範囲】
【請求項１】
手提げ具本体は，アーチ形上部の内側面（１）と，床部面（２）と外側両面（３）と、下側面（３ａ）を，Ｕ字形のアーチにし（４）で支える事で丈夫で持ち易くなる事を特徴とする，レジ袋用手提げ具。
【考案の詳細な説明】
【技実分野】
【０００１】本考案は，レジ袋の荷を指に負担を掛けない為のレジ袋用手提げ具に関するものである。
【背景技術】
【０００２】スーパー，量販店などでレジ袋に商品などを入れて持ち運びすると，レジ袋の手掛けがひも，の様に細くなり指に負担が掛かっていた。
【考案の概要】
【考案が解決しようとする課題】
【０００３】本考案のレジ袋用手提げ具を使用する事で前述の欠点を解決しようとするものである。
【課題を解決するための手段】
【０００４】本考案は，レジ袋に商品等をいれ袋の手掛けを、考案のレジ袋用手提げ具に掛けて持ち運ぶ事により指に負担を掛ける事なく解決する。
【考案の効果】
【０００５】上述の様に本考案のレジ袋用手提げ具を，ケース入れて携帯していれば，いつでもどこでも使用することで大いに役に立つ。
【図面の簡単な説明】
【０００６】
【図１】  本考案アーチ形のレジ袋用手提げ具の平面図
【図２】  １の切断面
【図３】  ２の断面図
【図４】  レジ袋用手提げ具の立面図
【図５】  レジ袋と手提げ具の全体図
【図６】  レジ袋用手提げ具ケースの立面図
【図７】  ６の切断面
【考案を実施するための形態】
【０００７】以下添付図面に従って説明をする。手提げ具本体は耐久性プラスチックス等適宣素材にて一体化形成されたレジ袋用手提げ具，１はレジ袋手掛け外れ止メ，２はレジ袋手かけ掛け部，３又３ａは手提げ具握り部，４は３ａと連がる手提げ具の支え，５又６は手提げ具収納ケース蓋，７又８は手提げ具の収納ケース本体で，レジ袋用手提げ具と手提げ具収納ケースを一対とする。
【符号の説明】
【０００８】１  アーチ形上部両内側
２  レジ袋手かけ掛け床部
３  ３と３ａは手提げ具握り部
４  ３ａと連がる手提げ具の支え
５  ５と６は収納ケースの蓋
６  同上
７  ７と８は手提げ具収納ケース本体
【図１】
0003184514.tif 000003
【図２】
0003184514.tif 000004
【図３】
0003184514.tif 000005
【図４】
0003184514.tif 000006
【図５】
0003184514.tif 000007
【図６】
0003184514.tif 000008
【図７】
0003184514.tif 000009
【手続補正書】
【提出日】平成25年4月8日(2013.4.8)
【手続補正１】
【補正対象書類名】実用新案登録請求の範囲
【補正対象項目名】全文
【補正方法】変更
【補正の内容】
【実用新案登録請求の範囲】
【請求項１】
床部面と，前記床部面の両側部から立設する２つの壁部と，をＵ字形のアーチとし，前記各壁部の内側面間に，レジ袋の手掛けが係合する空間を備え前記アーチの両端部間に支え部材を設けたことを特徴とするレジ袋用手提げ具。
【手続補正２】
【補正対象書類名】明細書
【補正対象項目名】０００７
【補正方法】変更
【補正の内容】
【０００７】以下添付図面に従って説明をする。手提げ具本体は耐久性のプラスチックス等適簡素材にて一体化形成されたレジ袋用手提げ具，（１）はレジ袋の手掛けが係合する空間，（２）はレジ袋手かけ掛け部，（３又３ａ）は手提げ具握り部，（４）は手提げ具アーチ両端部の支え部材，（５又６）は手提げ具収納ケースふた部，（７又８）は手提げ具の収納ケースで，レジ袋用手提げ具と手提げ具収納ケースを一対とする。
【手続補正３】
【補正対象書類名】明細書
【補正対象項目名】０００８
【補正方法】変更
【補正の内容】
【０００８】１  床部面の両側部から立設する２つの壁部
２  レジ袋手かけ掛け床部
３  （３又３ａ）は手提げ具の握り部
４  手提げ具，アーチ両端部の支え部材
５  収納ケースのふた部
６  同上
７  手提げ具収納ケース両側部
８  同上
(57)【要約】      （修正有） 【課題】浴室の目地の黒カビの除去と殺菌を目的として浴室の壁と床の目地に使用する浴室カビ除去用スティックを提供する。【解決手段】浴室カビ除去剤容器であって、本体容器１と塗布スポンジ２と容器蓋３からなることを特徴とする。これにより、塗布部分にクッション性の良いスポンジを使用することで、目地に添いスティックのりを塗る要領で塗布しやすい。【選択図】図１
0003184926.tif 000002
【実用新案登録請求の範囲】
【請求項１】
浴室カビ除去剤容器であって、本体容器１と塗布スポンジ２と容器蓋３から
なることを特徴とする浴室カビ除去用スティック。
【請求項２】
本体容器１の軸と塗布スポンジの軸の角度αが８０度〜１６０度の角度を有
することを特徴とする請求項１に記載の浴室カビ除去用スティック。
【考案の詳細な説明】
【技術分野】
【０００１】
本考案は、浴室の目地の黒カビの除去と殺菌を目的として浴室の壁と床の目地に使
用する浴室用カビ除去用スティックに関するものである。
【背景技術】
【０００２】
従来の浴室の壁と床の目地に使用する浴室用カビ除去品は、泡スプレー方式になっ
ている。
【考案の概要】
【考案が解決しようとする課題】
【０００３】
従来の泡スプレー方式は、泡スプレーのため、カビの生えていないところまで、広範
囲に泡が飛散し、浴室の空気が悪くなる上に、泡が無駄になるという点に解決すべき
課題があった。
【０００４】
本考案は、カビの生えている必要な所にだけカビ除去剤を塗るので、少ない量で効率  よくカビ取りが出来て経済的であり、また、空気中に飛散する有害な成分が少量にな 
り、従来品より健康的に掃除が出来ることを目的にしている。
【課題を解決するための手段】
【０００５】
上記課題を解決し目的を達成するために、本考案の第１は、浴室カビ除去剤容器であ
って、本体容器１と塗布スポンジ２と容器蓋４からなることを特徴とする浴室カビ除
去用スティックであり、本考案の第２は、本体容器１の軸と塗布スポンジの軸が８０
度〜１６０度の角度を有することを特徴とする請求項１に記載の浴室カビ除去用ス
ティックである。
【考案の効果】
【０００６】
上記のように構成した浴室用カビ除去品は、塗布部分にクッション性の良いスポンジ
を使用することで、目地に添いスティックのりを塗る要領で塗布しやすい。
この他に以下のような利点があげられる。
・必要な所にだけ塗るので、少ない量で効率よくカビ取りが出来、経済的であった。
・液体のままでも、泡と同様のカビ取り効果があげられた。
・従来の泡スプレー容器は、空気中にも有害な成分が飛散するので、マスクや換気が欠
かせなかったが、このスティックタイプの飛散量ははるかに少なく、健康的に掃除が
出来た。
【図面の簡単な説明】
【０００７】
【図１】実施例１に係る浴室用カビ除去品の容器本体平面図である。
【図２】図１のＡ−Ａ線における断面図である。
【考案を実施するための形態】
【０００８】
以下、本考案の実施方法を図面を用いて詳細に説明する。
【実施例】
【０００９】
図1は本考案の実施例１に係る浴室用カビ除去品の容器本体平面図、図２は図1の
Ａ−Ａ線における断面図である。
図1乃至図２に示した浴室用カビ除去品は、容器はプラスティックを用いて成形した 
ものであって、その構造は、容器本体１と塗布スポンジ２、カビ除去剤３と容器蓋３と
からなっている。
前記容器本体１は、片手に収まる大きさで、先が容器本体と塗布スポンジの各軸の角
度αが約８０度〜１６０度、好ましくは約９０度〜１６０度にカーブしており、垂直の  
浴室壁面にも底面にも塗りやすい構造となっている。より好ましい角度は約１２０度〜
１５０度である。
また、塗布スポンジ２は、直径２０ｍｍ程度、厚み２ｍｍ程度にすることで、クッ
ション性があり、目地に添って塗布しやすく、カビ除去剤をよく保湿し液体もれもな
い。容器中のカビ除去剤を使い切るまでの耐久性もある。
【００１０】
さらにカビ除去剤３は、次亜塩素酸塩、水酸化ナトリウム、界面活性剤を主成分とす
る従来品であるが、液体のままでも泡と同様のカビ除去効果があげられた。
容器蓋４は、前記容器本体１の上端開口部を開閉するものであって、開閉するため
に、開口周縁には溝が３段形成されている。
【産業上の利用可能性】
【００１１】
本考案の浴室用カビ除去品は、既述したように、浴室のカビ除去にあたり、従来品よ 
り経済的・健康的使用に優れているが、本考案に手を加えたい点もある。
容器の中に入れるカビ取り剤を着色する事である。今のままでは液体が透明であるた
め、目地のカビをどこまで塗布したか、分からない。カビ除去剤に着色してあると、ど
こまで塗布したが分かるうえ、カビ取り剤を洗い流す際の目印にもなる。
身近にある食紅を混ぜたが、少量では効果なく、しかし、混ぜすぎると目地を着色し
てしまい、カビは退いても食紅がついてしまった。目地を着色せず、かつ、目視で分か
るくらいに液体に色を付けられると利便性は確実に増す。
【符号の説明】
【００１２】
１  容器本体
２  塗布スポンジ
３  容器蓋
【図１】
0003184926.tif 000003
【図２】
0003184926.tif 000004